(57)【要約】【課題】緊張力が導入された状態の緊張材の中間部分で周囲にある構造物に該緊張材を定着する中間定着具を良好な施工性で装着可能とする。【解決手段】分離可能で対となる半割ブロック３，４が互いに結合されて定着ブロック２が形成されている。二つの半割ブロックは結合手段であるボルト５によって結合され、双方の半割ブロック間に緊張材６が挿通される中空孔９が形成されている。中空孔内に挿通された緊張材と中空孔の内面との間には充填材１０が充填され、硬化することによって定着ブロックと緊張材とが結合されている。中空孔は全長にわたって、又は中空孔の一部は、緊張材が引っ張られる方向に向かって徐々に断面が縮小されている。そして、中空孔の内周面には、ゴム又は合成樹脂の薄層が形成されている。【選択図】図１
2019039141.tif 000002
【特許請求の範囲】
【請求項１】
分離可能で対となる半割ブロックが互いに接合され、双方の半割ブロック間に緊張材が挿通される中空孔が形成された定着ブロックと、
これらの半割ブロックを互いに結合する結合手段と、を有し、
前記中空孔内に挿通された緊張材と前記中空孔の内周面との間に充填され、硬化した充填材によって前記定着ブロックと前記緊張材とが結合されている緊張材の中間定着具であって、
前記中空孔は全長にわたって、又は前記中空孔の一部は、前記緊張材が引っ張られる方向に向かって徐々に断面が縮小されていることを特徴とする緊張材の中間定着具。
【請求項２】
前記定着ブロックに形成された前記中空孔の内周面には、ゴム又は合成樹脂の薄層が形成されていることを特徴とする請求項１に記載の緊張材の中間定着具。
【請求項３】
前記結合手段は、前記緊張材の軸線方向に配列された複数列のボルトを有するものであり、
前記半割ブロックの少なくとも一方は、前記緊張材の軸線方向に配列された複数の小ブロックに分割されており、
前記緊張材の両側に配置された少なくとも一対の前記ボルトによってそれぞれの前記小ブロックが対向する他方の半割ブロックと結合されていることを特徴とする請求項１又は請求項２に記載の緊張材の中間定着具。
【請求項４】
前記半割ブロックの一方が複数に分割され、これらの小ブロックのうちの少なくとも二つが、他方の半割ブロックの複数に分割された小ブロックの一つ、又は分割されていない単一の半割ブロックと結合されていることを特徴とする請求項３に記載の緊張材の中間定着具。
【請求項５】
前記半割ブロックの一方と前記半割ブロックの他方とは、前記緊張材の軸線方向における同じ位置で複数の小ブロックに分割され、それぞれの半割ブロックが有する小ブロックが互いに結合されて小ブロック対を形成しており、
前記緊張材が引っ張られる方向の上流側にある小ブロック対が形成する中空孔の断面の縮小率が、下流側にある小ブロック対が形成する中空孔の断面の縮小率より大きくなっていることを特徴とする請求項３に記載の緊張材の中間定着具。
【発明の詳細な説明】
【技術分野】
【０００１】
本発明は、すでに緊張力が導入され、両端部が構造物に定着されている緊張材の中間部分に取り付け、該緊張材に緊張力が導入された状態を維持したまま周囲にある構造物に定着する緊張材の中間定着具に関するものである。
【背景技術】
【０００２】
コンクリート構造物には埋設された緊張材の緊張力によってプレストレスが導入されているものがある。このようなコンクリート構造物は、補修、補強又は改修等のために一部の撤去が必要となる場合がある。例えば、橋桁の幅方向の一部を撤去し、残った部分で交通を維持しながら一部を新しい橋桁に架け替えることがある。また、橋桁の軸線方向の一部、例えば桁端部が劣化して補修が必要となったときに桁端部を一旦除去し、新たにコンクリートを打設して補修することがある。この他、建築物の一部を解体することもある。このようなときに、コンクリート構造物の撤去する部分と残す部分とにわたって連続する緊張材が配置され、プレストレスが導入されていると、緊張材の中間部分を露出させ、中間定着具を取り付けて残す部分のコンクリートに定着することが行われる。そして、コンクリート構造物の残す部分には緊張力が導入された状態の緊張材を維持し、撤去する部分の緊張材を切断するとともにコンクリート構造物を撤去することが行われている。
【０００３】
このように緊張力が導入された状態の緊張材を中間部分で定着する中間定着具として、例えば特許文献１又は特許文献２に開示されるものがある。
特許文献１に記載の中間定着具は、緊張材が露出された部分に２つの半筒状部材を互いに結合して装着し、これらの間に膨張性グラウトを充填・硬化させて緊張材に固着させるものとなっている。そして、２つの半筒状部材からなる定着具をコンクリート構造物の残す部分と一体となった支圧層に当接させて緊張材を定着する。
特許文献２に記載の中間定着具は、２つの半割り鋼スリーブを併せてなる鋼管スリーブを露出したＰＣ鋼材に装着し、これらの半割り鋼スリーブの周囲に複数の板状Ｃ型部材を嵌め合わせて２つの半割り鋼スリーブを互いに固定する。そして、鋼管スリーブ内に膨張材を流し込んで膨張圧により鋼管スリーブとＰＣ鋼材とを一体化するものとなっている。
【先行技術文献】
【特許文献】
【０００４】
【特許文献１】特開平６−１０１３４４号公報
【特許文献２】特開２００７−２７７８２６号公報
【発明の概要】
【発明が解決しようとする課題】
【０００５】
しかしながら上記先行技術では、次のような解決が望まれる課題がある。
上記先行技術は、筒状となった部材と緊張材との間に充填材が充填され、この充填材が硬化する時の膨張圧を利用して筒状となった部材と緊張材を一体化するものである。このため、充填材が硬化したときに適正な膨張圧が生じていなければならず、充填材の硬化時における厳重な温度管理が必要となって施工性が良好ではない。
また、充填材を介して緊張材を保持する筒状の部材は、充填材の膨張圧に耐え得るとともに緊張材の緊張力を構造物等に伝達することができる強固なものが必要となり、鋼部材とすると重量が大きくなる。このため緊張力が導入されている緊張材の周囲に設置するときの作業性が悪くなっている。
【０００６】
本発明は、上記のような事情に鑑みてなされたものであり、緊張材に装着するときの施工性が良好な中間定着具を提供することを目的とするものである。
【課題を解決するための手段】
【０００７】
上記課題を解決するために、請求項１に係る発明は、  分離可能で対となる半割ブロックが互いに接合され、双方の半割ブロック間に緊張材が挿通される中空孔が形成された定着ブロックと、  これらの半割ブロックを互いに結合する結合手段と、を有し、  前記中空孔内に挿通された緊張材と前記中空孔の内周面との間に充填され、硬化した充填材によって前記定着ブロックと前記緊張材とが結合されている緊張材の中間定着具であって、  前記中空孔は全長にわたって、又は前記中空孔の一部は、前記緊張材が引っ張られる方向に向かって徐々に断面が縮小されている緊張材の中間定着具を提供する。
【０００８】
この緊張材の中間定着具では、定着ブロックから緊張材を引き抜こうとする引張力が作用したときに、緊張材とともに硬化した充填材が引っ張られる。これにより、硬化した充填材の外周面は徐々に断面積が縮小された中空孔の周面に押し付けられ、周面から法線方向の圧縮力が作用する。したがって、緊張材から定着ブロックに力が伝達される前に緊張材と充填材との間に大きな圧縮力が作用していなくても、緊張力が硬化した充填材を介して定着ブロックに伝達されるとともに圧縮力が作用し、緊張材が硬化した充填材から抜け出さないように強固に保持される。つまり、充填材として膨張性材料を用いて硬化した充填材と緊張材との間に予め圧縮力を作用させておかなくてもよく、定着ブロックの中空孔と緊張材との間に充填する充填材の管理が容易となる。
【０００９】
請求項２に係る発明は、請求項１に記載の緊張材の中間定着具において、  前記定着ブロックに形成された前記中空孔の内周面には、ゴム又は合成樹脂の薄層が形成されているものとする。
【００１０】
この緊張材の中間定着具では、定着ブロックに形成された中空孔の内周面と硬化した充填材との間にゴム又は合成樹脂の薄層が介挿されるので、この中間定着具で緊張材を定着しようとしたときに、まず定着ブロックと硬化した充填材との間で微小な相対的変位が生じる。これにともない硬化した充填材に中空孔の内周面からの圧縮力が作用する。したがって、硬化した充填材と緊張材の周面との間に確実に圧縮力が作用し、緊張材が硬化した充填材を介して定着ブロックによって強固に保持される。
【００１１】
請求項３に係る発明は、請求項１又は請求項２に記載の緊張材の中間定着具において、  前記結合手段は、前記緊張材の軸線方向に配列された複数列のボルトを有するものであり、  前記半割ブロックの少なくとも一方は、前記緊張材の軸線方向に配列された複数の小ブロックに分割されており、  前記緊張材の両側に配置された少なくとも一対の前記ボルトによってそれぞれの前記小ブロックが対向する他方の半割ブロックと結合されているものとする。
【００１２】
この緊張材の中間定着具では、半割ブロックが複数の小ブロックに分割されていることにより、重量が小さい小ブロックごとに緊張材の周囲に配置して定着ブロックを所定の位置に装着することができる。したがって、定着ブロックを緊張材の周囲に配置する作業の効率が向上する。
【００１３】
請求項４に係る発明は、請求項３に記載の緊張材の中間定着具において、  前記半割ブロックの一方が複数に分割され、これらの小ブロックのうちの少なくとも二つが、他方の半割ブロックの複数に分割された小ブロックの一つ、又は分割されていない単一の半割ブロックと結合されているものとする。
【００１４】
この緊張材の中間定着具では、対となる半割ブロックを互いに結合するための結合手段であるボルトによって、分割された小ブロックを一体に結合することができる。
【００１５】
請求項５に係る発明は、請求項３に記載の緊張材の中間定着具において、  前記半割ブロックの一方と前記半割ブロックの他方とは、前記緊張材の軸線方向における同じ位置で複数の小ブロックに分割され、それぞれの半割ブロックが有する小ブロックが互いに結合されて小ブロック対を形成しており、  前記緊張材が引っ張られる方向の上流側にある小ブロック対が形成する中空孔の断面の縮小率が、下流側にある小ブロック対が形成する中空孔の断面の縮小率より大きくなっているものとする。
【００１６】
緊張材が軸線方向における所定の長さの範囲で定着ブロックに保持されると、緊張力が作用したときに緊張材が引っ張られる方向の下流側で、緊張材と硬化した充填材との間に大きなずれようとする力が作用する。そして上流側では徐々に小さくなる。
本請求項に係る緊張材の中間定着具では、緊張材が引っ張られる方向の上流側にある小ブロック対の中空孔の断面縮小率が下流側の小ブロック対より大きくなっているので、小ブロック対が硬化した充填材を保持する力が下流側より作用しやすくなる。したがって、緊張材と硬化した充填材との間でずれようとする力が、断面縮小率が均等である場合に比べて緊張材の軸線方向に均等に近い状態で作用する。これにより、硬化した充填材が緊張材を保持する耐力が増大する。
【発明の効果】
【００１７】
以上説明したように本発明の緊張材の中間定着具では、定着ブロックと緊張材とを一体に結合する充填材の硬化時の管理が容易となり作業性が向上する。また、定着ブロックを構成する半割ブロックをさらに複数の小ブロックに分割することにより、定着ブロックを構成する個々の部材の重量を軽減し、緊張力が導入されている緊張材の周囲に設置する作業の効率が向上する。
【図面の簡単な説明】
【００１８】
【図１】本発明の一実施形態である緊張材の中間定着具を示す側面図、正面図及び平面図である。
【図２】図１に示す緊張材の中間定着具の断面図である。
【図３】図１に示す緊張材の中間定着具を使用して一部を解体した橋桁の概略断面図である。
【図４】図１に示す緊張材の中間定着具の使用方法を示す概略断面図である。
【図５】図１に示す緊張材の中間定着具の使用方法を示す概略断面図である。
【図６】図１に示す緊張材の中間定着具を残存する構造物に定着する他の態様を示す概略断面図である。
【図７】本発明の他の実施形態である緊張材の中間定着具を示す平面図及び断面図である。
【図８】図７に示す緊張材の中間定着具における小ブロックを接合して半割ブロックとする手段を示す正面図及び平断面図である。
【図９】図７に示す中間定着具において定着ブロックの中空孔内面に溝を設けた状態を示す正面図ある。
【図１０】本発明の他の実施形態である緊張材の中間定着具を示す断面図である。
【図１１】本発明の他の実施形態である緊張材の中間定着具を示す側面図である。
【図１２】本発明に係る緊張材の中間定着具の他の使用例を示す概略工程図である。
【図１３】本発明に係る緊張材の中間定着具の他の使用例を示す概略工程図である。
【発明を実施するための形態】
【００１９】
以下、本発明の実施の形態を図に基づいて説明する。
図１は、本発明に係る緊張材の中間定着具を示す側面図、正面図及び平面図であり、図２は、図１中に示すＡ−Ａ線及びＢ−Ｂ線における断面図である。
この緊張材の中間定着具１は、緊張力が導入されている緊張材９の中間部分に装着されたものであり、二つの半割ブロック３，４からなる定着ブロック２と、二つの半割ブロック３，４を互いに結合して一体とする結合手段である複数のボルト５とを備えるものである。二つの半割ブロック３，４はいずれも鋼からなるものであり、外形がほぼ直方体となっている。そして、これらを重ね合わせたときに、これらの半割ブロック３，４の間に断面形状がほぼ円形となる中空孔６が形成されるものとなっている。
【００２０】
二つの半割ブロック３，４にはそれぞれ複数のボルト孔７，８が設けられており、これらは二つの半割ブロック３，４の間に形成された中空孔６の両側に配列されている。そして、第１の半割ブロック３に設けられたボルト孔７は、結合手段であるボルト５を挿通して該ボルト４の頭部を孔内で係止することができるように内径が変化するものとなっている。また、第２の半割ブロック４には、上記ボルト５をねじ込むことができるボルト孔８、つまり内周面に雌ネジが切削されたボルト孔８が形成されている。したがって、第１の半割ブロック３側からボルト孔７に挿入したボルト５の先端部を第２の半割ブロック４に形成されたボルト孔８にねじ込み、締め付けることによって第１の半割ブロック３と第２の半割ブロック４とを一体に結合することができるものとなっている。
【００２１】
上記中空孔６は、互いに結合される半割ブロック３，４の対向する面にそれぞれ断面が半円状となる溝を形成したものであり、二つの半割ブロック３，４を緊張力が導入された状態の緊張材９の両側から対向させ、緊張材９が溝内にある状態で結合することにより、中空孔６内に緊張材９が挿通された状態とすることができるものである。中空孔６の内径は、緊張材９の軸線方向に徐々に変化するものとなっており、該中間定着具１によって緊張材９を定着したときに緊張材９が引っ張られる方向（図１中に矢印Ｄで示す方向）に内径が徐々に縮小されるものとなっている。
【００２２】
上記中空孔６の内周面には、合成樹脂からなる被膜（図示しない）が形成されている。この被膜は、例えば液状にした合成樹脂を塗布し、硬化させることによって形成することができる。また、シート状となった合成樹脂を張り付けるものであってもよい。
上記被膜は合成樹脂に代えて合成ゴム又は天然ゴム等によって形成されるものであってもよい。
【００２３】
上記中空孔６の内側には、緊張材９が挿通された状態で該緊張材９と中空孔６の内周面との間に充填材１０が充填される。充填材１０は充填後に硬化するものであり、無収縮モルタルを用いることができる。また、コンクリート部材内に埋め込まれて緊張材が挿通されたシース内に充填されるグラウト材や膨張性のグラウト材等を用いることもできるが、大きな膨張圧を期待するものではなく、厳重な温度管理等を行う必要はない。
【００２４】
充填材１０の充填は、第１の半割ブロック３に設けられた注入口１１から注入することができる。注入口１１は緊張材９が引っ張られる方向Ｄの下流側、つまり中空孔６の内径が小さくなっている側の端部付近に設けられている。この注入口１１から直接に、又はホースを接続して自然流下又は加圧によって注入することができる。
第１の半割ブロック３の、緊張材９が引っ張られる方向Ｄの上流側の端部付近には、排出口１２が設けられており、注入口１１から充填材１０を注入するときに、中空孔６内の空気を排出して充填材１０が円滑に注入されるものとなっている。
【００２５】
このような緊張材の中間定着具１では、定着ブロック２が二つの半割ブロック３，４からなり、これらが結合手段であるボルト５によって結合されるものとなっているので、緊張力が導入されている状態の緊張材９の中間部分に容易に装着することができる。つまり、緊張材９の両側から二つの半割ブロック３，４を互いに当接し、結合することによって形成される中空孔６に緊張材９が挿通された状態とし、この中空孔６内に充填材１０を充填して緊張材９と一体に結合することができる。緊張材９に結合された定着ブロック２は構造物に固定することによって緊張材９の緊張力を、定着ブロック２を介して構造物に伝達することが可能となる。
【００２６】
そして、定着ブロック２が結合された位置より後方側、つまり緊張材９が中間定着具１に対して引っ張られる方向Ｄの上流側で緊張材９の緊張力を解放すると、下流側に導入されている緊張力が中間定着具１を介して構造物に伝達される。
このとき、中空孔６内の硬化した充填材１０は緊張材９に付着しており、緊張力によって緊張材９とともに定着ブロック２に対して引っ張られる。このとき、中空孔６の内周面と硬化した充填材１０との間に介挿されている合成樹脂の被膜は弾性係数が小さいことによって変形し、緊張材９と硬化した充填材１０とが定着ブロック２に対して微小に変位する。これにともない、内径が引っ張られる方向Ｄに向かって縮小されている中空孔６の内周面から硬化した充填材１０に対して、中空孔６の中心方向に圧縮力が作用する。そして、緊張力が大きく作用して充填材１０を介して定着ブロック２に伝達されるのにともない、さらに強い圧縮力が中空孔６の内周面から硬化した充填材１０に作用し、充填材１０と緊張材９との間に強い圧縮力が作用する。したがって、緊張材９から定着ブロック２に対して力が伝達される初期においては緊張材９と硬化した充填材１０との間に生じずれようとする力は小さく、被膜の変形が生じて圧縮力が強く作用する状態で硬化した充填材１０と緊張材９との間のずれようとする力が増大する。これにより、圧縮力の作用下で緊張材９は硬化した充填材１０によって強固に把持され、緊張材９が中間定着具１から抜け出すことなく、緊張材９を構造物等に定着することができる。
【００２７】
次に上記緊張材の中間定着具１を用いて、緊張力が導入されている緊張材の一部の緊張力を解放する例について説明する。
図３は、本発明に係る緊張材の中間定着具１を用いてプレストレストコンクリートからなる橋桁の一部を撤去する例を示す概略断面図である。
この橋桁２０は複数の主桁２１を有するものであり、これらの主桁２１に支持される床版２２には幅方向に横締め緊張材２３が配置されている。この橋桁２０を老朽化等の理由によって架け替えるものであり、幅方向の約半分を残存させて車両等の交通を維持するとともに、約半分を撤去して新たな橋桁に架け替える。そして、新たな橋桁が完成すると、交通を新たな橋桁上に切り代え、最初に残存させた部分を撤去してこの部分も新たな橋桁に架け替えるものである。橋桁２０の幅方向の約半分を撤去するためには残存させる部分２０ａで横締め緊張材２３の緊張力を維持し、撤去する部分２０ｂではコンクリートを破砕するとともに横締め緊張材２３の緊張力を解放して切断することになる。
【００２８】
橋桁の一部撤去は次のような工程で行うことができる。
最初に、橋桁２０の幅方向におけるほぼ中央部でコンクリートを斫り、緊張材２３を露出させる。そして、図３（ａ）及び図４に示すように、この部分に本発明に係る緊張材の中間定着具１を装着する。二つの半割ブロック３，４は緊張力が導入されている緊張材２３の両側から中空孔となる位置に緊張材２３が挿通されるように配置し、互いに結合して支持する。
二つの半割ブロック３，４を結合して形成された中空孔６は、図４（ｂ）に示すように両端に板材２４等を接着し、緊張材２３が通過する状態で閉鎖する。そして、中空孔６内に注入口１１から充填材を注入する。
【００２９】
充填材が硬化した後、図５（ａ）に示すように中間定着具１を埋め込むようにコンクリート２５を打ち戻して残存させる部分２０ａのコンクリートと一体とする。打設したコンクリート２５が硬化した後、図３（ｂ）及び図５（ｂ）に示すように、中間定着具１がコンクリートに埋め込まれた状態を維持したまま、撤去する部分２０ｂの橋桁を破砕し、緊張材２３は切断する。これにより緊張材２３に導入されている緊張力は中間定着具１を介して残存させる部分２０ａのコンクリートに定着され、残存させる部分では幅方向のプレストレスが導入された状態が維持される。
なお、装着された中間定着具１を埋め込むように打設するコンクリート２５に代えて、図６に示すように残存させる部分２０ａと一体となり、定着ブロック２と密接するようにコンクリート２６を打設してもよい。また、このように打設するコンクリート２６と定着ブロック２との間には鋼プレート２７等を介挿することもできる。
【００３０】
図７は、本発明の他の実施形態である緊張材の中間定着具を示す平面図及び断面図である。
この緊張材の中間定着具３１は、図１及び図２に示す中間定着具１と同様に、二つの半割ブロック３３，３４からなる定着ブロック３２と、二つの半割ブロック３３，３４を互いに結合して一体とする複数のボルト３５とを備えるものである。そして、この中間定着具３１では二つの半割ブロック３３，３４が、それぞれ複数に分割されている。つまり、分割された複数の小ブロックが緊張材３６の軸線方向に配列され、これらが結合されてそれぞれの半割ブロック３３，３４を形成している。それぞれの小ブロックは、第１の半割ブロック３３と第２の半割ブロック３４とで分割位置が同一となっており、同数の小ブロックがそれぞれ対となっている。
【００３１】
結合手段であるボルト３５は、双方の半割ブロック３３，３４を構成する小ブロックであって対となるもののそれぞれについて、緊張材３６が挿通される位置の両側に少なくとも一本ずつが配置され、対となる小ブロック（３３ａ，３４ａ），（３３ｂ，３４ｂ），（３３ｃ，３４ｃ），（３３ｄ，３４ｄ）を互いに結合するものとなっている。
第１の半割ブロック３３に設けられてボルト３５が挿通されるボルト孔３７及び第２の半割ブロック３４に設けられてボルト３５の先端部がねじ込まれるボルト孔３８は、図１に示す中間定着具１と同様に設けられている。
【００３２】
対となる小ブロック（３３ａ，３４ａ），（３３ｂ，３４ｂ），（３３ｃ，３４ｃ），（３３ｄ，３４ｄ）を結合するときの対向面には、それぞれ溝が形成されており、これらを互いに結合したときに、これらの対となる小ブロック（３３ａ，３４ａ），（３３ｂ，３４ｂ），（３３ｃ，３４ｃ），（３３ｄ，３４ｄ）の間に断面形状がほぼ円形となる中空孔３９が形成されるものとなっている。そして、これらの小ブロック対を緊張力が導入されている緊張材３６の両側から対向させ、結合するとともに複数の小ブロック対を緊張材３６の軸線方向に連結することによって各小ブロック対に形成された中空孔３９が連続し、２つの半割ブロック３３，３４間に形成された中空孔内に緊張材３６が挿通された状態となるものである。
【００３３】
小ブロック間に形成される中空孔３９の径は、緊張材３６が引っ張られる方向の上流側から下流側に向かって徐々に縮小されるものとなっている。そして、内周面は緊張材３６の軸線方向に配列される小ブロック対の間では連続しておらず、上流側の第１の小ブロック対（３３ａ，３４ａ）の下流側端と下流側の第２の小ブロック対（３３ｂ，３４ｂ）の上流側端との間で段差が生じており、上流側の小ブロック対（３３ａ，３４ａ）の下流側端における中空孔３９の内径が下流側の小ブロック対（３３ｂ，３４ｂ）の上流側端の内径より小さくなっている。また、第２の小ブロック対（３３ｂ，３４ｂ）と第３の小ブロック対（３３ｃ，３４ｃ）との間、第３の小ブロック対（３３ｃ，３４ｃ）と第４の小ブロック対（３３ｄ，３４ｄ）との間でも同様に中空孔３９の内周面に段差が生じている。
【００３４】
それぞれの小ブロック対（３３ａ，３４ａ），（３３ｂ，３４ｂ），（３３ｃ，３４ｃ），（３３ｄ，３４ｄ）に設けられた中空孔３９の内径が縮小される縮小率は同一ではなく、緊張材３６が引っ張れる方向の最も上流側の第１の小ブロック対（３３ａ，３４ａ）で大きく、下流側の小ブック対になるほど縮小率が小さくなって、最も下流側の第４の小ブロック対（３３ｄ，３４ｄ）で最も小さくなっている。
これらの小ブロック対のそれぞれに設けられた中空孔３９の内周面には、図１に示す中間定着具１と同様に合成樹脂又はゴムの薄層が形成され、中空孔３９内には充填材の注入孔（図示しない）から充填材４０が充填される。そして、充填材が硬化することによって二つの半割ブロック３３，３４からなる定着ブロック３２と緊張材３６とが一体に結合されるものである。
【００３５】
分割された小ブロック３３ａ−ｄ，３４ａ−ｄのそれぞれには、図８に示すように緊張材の軸線方向に小孔４１ａ，４１ｂを設けておき、この小孔４１ａ，４１ｂに長ボルト４２を挿通してナット４３で締め付けることにより小ブロック３３ａ−ｄ，３４ａ−ｄを連結してそれぞれの半割ブロック３３，３４とすることができる。また、小孔４１ａ，４１ｂとは別に、半割ブロックを構成するように接合される小ブロックの双方の接合面にピン穴４４ａ，４４ｂ設けておき、位置決めピン４５を挿入して双方の接合位置を正確に設定できるものとするのが望ましい。
【００３６】
このように半割ブロック３３，３４のそれぞれが複数の小ブロックに分割されている中間定着具３１では、小ブロック対ごとに緊張材３６の両側から対向させて結合することができ、小ブロックは分割によって重量が小さくなっているので緊張材３６が中空孔３９に挿通されるように結合する作業を効率よく行うことが可能となる。
【００３７】
図７に示すように、半割ブロックが複数の小ブロックに分割され、小ブロック対間で中空孔の内周面に段差が生じている中間定着具では、図９に示すように、中間定着具３１を緊張材３６の周囲に設置したときに中空孔３９の内周面の最上位となる位置に、この例では第１の半割ブロック３３の中央部に緊張材３６の軸線方向の溝４６を形成しておくのが望ましい。この溝４６は底面が緊張材の軸線方向に連続するものであり、中空孔３９の内周面が急変する部分でも充填材４０が充填されない部分が生じるのを回避することができる。また、図１０に示すように小ブロック対の接合面付近であって接合面の上流側にある小ブロック対（３３ａ，３４ａ），（３３ｂ，３４ｂ），（３３ｃ，３４ｃ）の下流端付近Ｅに中空孔３９の内径が下流側に向かって拡大する部分を設け、内周面の段差を解消することができる。これにより小ブロック対の接合部における充填材の充填をより円滑に行うことができる。
【００３８】
半割ブロックを複数の小ブロックに分割するときに、図１１に示すように二つの半割ブロック間で分割位置を異なる位置とすることもできる。この中間定着具５１では、第１の半割ブロック５３を３分割とし、第２の半割ブロック５４を２分割としている。第１の半割ブロック５３は、４対のボルト対のうちの第１のボルト対５５ａと第２のボルト対５５ｂとの間及び第３のボルト対５５ｃと第４のボルト対５５ｄとの間で分割し、第２の半割ブロック５４は、第２のボルト対５５ｂと第３のボルト対５５ｃとの間で分割している。したがって、この中間定着具５１を緊張材５２の周囲に設置するときには、まず第１の半割ブロック５３の第１の小ブロック５３ａと第２の半割ブロック５４の第１の小ブロック５４ａとを第１のボルト対５５ａによって結合し、次に第２の半割ブロック５４の第１の小ブロック５４ａと第１の半割ブロック５３の第２の小ブロック５３ｂとを第２のボルト対５５ｂによって結合することができる。さらに、第１の半割ブロック５３の第２の小ブロック５３ｂと第２の半割ブロック５４の第２の小ブロック５４ｂとを第３のボルト対５５ｃによって結合し、第２の半割ブロック５４の第２の小ブロック５４ｂと第１の半割ブロック５３の第３の小ブロック５３ｃとを第４のボルト対５５ｄによって結合することによって、複数の小ブロックを結合するとともに２つの半割ブロック５３，５４を結合して緊張材５２の周囲に設置することが可能となる。
【００３９】
なお、図１１に示す例では第１の半割ブロック５３と第２の半割ブロック５４との双方を複数の小ブロックに分割しているが、第１の半割ブロック又は第２の半割ブロックのいずれか一方を複数に分割し、他方を分割することなく使用するものであってもよい。このときには分割された半割ブロックの各々の小ブロックを分割されていない他方の半割ブロックに順次に結合することができる。
【００４０】
以上に説明した緊張材の中間定着具は、本発明の一実施形態であって、本発明はこれらに限定されるものではなく、本発明の範囲内で形状、寸法、ボルトの数、材料等を変更し、他の形態で実施することができる。また、本発明の中間定着具の使用は、図３に示すような橋桁の横締め緊張材に限定されるものではなく、図１２及び図１３に示すように橋桁の軸線方向に配置された緊張材について使用することもできる。
【００４１】
図１２及び図１３に示す使用例は、プレストレストコンクリートからなる橋桁６１の端部が経年劣化して補修が必要になったときに、桁端部に限定して緊張材６２の緊張力を解放し、桁端部を破砕して新たなコンクリートを打設するのに中間定着具７１が用いられたものである。
このような使用例では、図１２に示すように橋桁６１の残存させる部分６１ａで緊張材の周囲のコンクリート６３を斫り、緊張材６２を露出させる。そして、本発明の中間定着具７１を緊張材６２に装着し、この中間定着具７１を埋め込むようにコンクリートを打設して橋桁の残存させる部分６１ａと一体とする。
打設したコンクリートが硬化した後、図１３（ａ）に示すように仮支柱６４によって橋桁６１を仮支持し、橋桁の端部６１ｂのコンクリートを破砕して除去するとともに中間定着具７１より端部側で緊張材６２の緊張力が開放された部分を切断する。切断した緊張材６２には、図１３（ｂ）に示すように新たな緊張材６５を接続して、桁端部の新たなコンクリート６６を打設する。そして、硬化後に接続した緊張材６４に緊張力を導入して橋桁端部の補修を完了する。
【符号の説明】
【００４２】
１：緊張材の中間定着具，  ２：定着ブロック，  ３：第１の半割ブロック，  ４：第２の半割ブロック，  ５：ボルト，  ６：中空孔，  ７：第１の半割ブロックに設けられたボルト孔，  ８：第２の半割ブロックに設けられたボルト孔，  ９：緊張材，  １０：充填材，  １１：注入口，  １２：排出口，
２０：橋桁，  ２０ａ：橋桁の残存させる部分，  ２０ｂ：橋桁の撤去する部分，  ２１：主桁，  ２２：床版，  ２３：緊張材，  ２４：中空孔を閉鎖する板材，  ２５：中間定着具を埋め込むコンクリート，  ２６：定着ブロックと密接するコンクリート，  ２７：鋼プレート，
３１：中間定着具，  ３２：定着ブロック，  ３３：第１の半割ブロック，  ３４：第２の半割ブロック，  ３５：ボルト，  ３６：緊張材，  ３７：第１の半割ブロックに設けられたボルト孔，  ３８：第２の半割ブロックに設けられたボルト孔，  ３９：中空孔，  ４０：充填材，  ４１：小孔，  ４２：長ボルト，  ４３：ナット，  ４４：ピン孔，  ４５：位置決めピン，  ４６：溝，
５１：中間定着具，  ５２：緊張材，  ５３：第１の半割ブロック，  ５４：第２の半割ブロック，  ５５：ボルト対，
６１：橋桁，  ６２：緊張材，  ６３：定着具を露出させるために斫るコンクリート，  ６４：仮支柱，  ６５：新たに接続した緊張材，  ６６：桁端部に打設したコンクリート，  ７１：中間定着具
【図１】
2019039141.tif 000003
【図２】
2019039141.tif 000004
【図３】
2019039141.tif 000005
【図４】
2019039141.tif 000006
【図５】
2019039141.tif 000007
【図６】
2019039141.tif 000008
【図７】
2019039141.tif 000009
【図８】
2019039141.tif 000010
【図９】
2019039141.tif 000011
【図１０】
2019039141.tif 000012
【図１１】
2019039141.tif 000013
【図１２】
2019039141.tif 000014
【図１３】
2019039141.tif 000015